【手続補正書】
【提出日】平成20年5月12日(2008.5.12)
【手続補正１】
【補正対象書類名】明細書
【補正対象項目名】発明の名称
【補正方法】変更
【補正の内容】
【発明の名称】画像表示装置及びその制御方法
【手続補正２】
【補正対象書類名】明細書
【補正対象項目名】特許請求の範囲
【補正方法】変更
【補正の内容】
【特許請求の範囲】
【請求項１】
スピーカを取り付け可能な画像表示装置であって、
少なくとも１つの前記スピーカが前記画像表示装置の上辺若しくは下辺に取り付けられているのか、又は、少なくとも２つの前記スピーカが前記画像表示装置の左右両側に取り付けられているのかを検知する検知手段と、
前記検知手段により少なくとも１つの前記スピーカが前記画像表示装置の上辺若しくは下辺に取り付けられていると検知された場合は、前記スピーカにセンターチャネルの音響信号を供給し、少なくとも２つの前記スピーカが前記画像表示装置の左右両側に取り付けられていると検知された場合は、右チャネルの音響信号及び左チャネルの音響信号を夫々対応する前記スピーカに供給する供給手段と、
を有することを特徴とする画像表示装置。
【請求項２】
前記画像表示装置は、右チャネルの音響信号及び左チャネルの音響信号を外部信号源から入力され、
前記外部信号源から入力された右チャネルの音響信号及び左チャネルの音響信号を基にセンターチャネルの音響信号を生成する生成手段を更に有し、
前記供給手段は、前記検知手段により少なくとも１つの前記スピーカが前記画像表示装置の上辺若しくは下辺に取り付けられていると検知された場合は、前記生成手段により生成されたセンターチャネルの音響信号を供給し、前記検知手段により少なくとも２つの前記スピーカが前記画像表示装置の左右両側に取り付けられていると検知された場合は、前記外部信号源から入力された右チャネルの音響信号及び左チャネルの音響信号を夫々対応する前記スピーカに供給することを特徴とする請求項１に記載の画像表示装置。
【請求項３】
前記検知手段の検知結果に応じて、外部信号源に対して、右チャネルの音響信号及び左チャネルの音響信号か、センターチャネルの音響信号のいずれかを出力させるように指示する制御手段を更に有し、
前記供給手段は、前記検知手段により少なくとも１つの前記スピーカが前記画像表示装置の上辺若しくは下辺に取り付けられていると検知された場合は、前記制御手段が前記外部信号源に指示して出力されたセンターチャネルの音響信号を、前記スピーカに供給し、前記検知手段により少なくとも２つの前記スピーカが前記画像表示装置の左右両側に取り付けられていると検知された場合は、前記制御手段が前記外部信号源に指示して出力された右チャネルの音響信号及び左チャネルの音響信号を、夫々対応する前記スピーカに供給することを特徴とする請求項１に記載の画像表示装置。
【請求項４】
スピーカを取り付け可能な画像表示装置の制御方法であって、
少なくとも１つの前記スピーカが前記画像表示装置の上辺若しくは下辺に取り付けられているのか、又は、少なくとも２つの前記スピーカが前記画像表示装置の左右両側に取り付けられているのかを検知する検知工程と、
前記検知工程により少なくとも１つの前記スピーカが前記画像表示装置の上辺若しくは下辺に取り付けられていると検知された場合は、前記スピーカにセンターチャネルの音響信号を供給し、少なくとも２つの前記スピーカが前記画像表示装置の左右両側に取り付けられていると検知された場合は、右チャネルの音響信号及び左チャネルの音響信号を夫々対応する前記スピーカに供給する供給工程と、
を有することを特徴とする画像表示装置の制御方法。
【請求項５】
前記画像表示装置は、右チャネルの音響信号及び左チャネルの音響信号を外部信号源から入力され、
前記外部信号源から入力された右チャネルの音響信号及び左チャネルの音響信号を基にセンターチャネルの音響信号を生成する生成工程を更に有し、
前記供給工程は、前記検知工程により少なくとも１つの前記スピーカが前記画像表示装置の上辺若しくは下辺に取り付けられていると検知された場合は、前記生成工程により生成されたセンターチャネルの音響信号を供給し、前記検知工程により少なくとも２つの前記スピーカが前記画像表示装置の左右両側に取り付けられていると検知された場合は、前記外部信号源から入力された右チャネルの音響信号及び左チャネルの音響信号を夫々対応する前記スピーカに供給することを特徴とする請求項４に記載の画像表示装置の制御方法。
【請求項６】
前記検知工程の検知結果に応じて、外部信号源に対して、右チャネルの音響信号及び左チャネルの音響信号か、センターチャネルの音響信号のいずれかを出力させるように指示する制御工程を更に有し、
前記供給工程は、前記検知工程により少なくとも１つの前記スピーカが前記画像表示装置の上辺若しくは下辺に取り付けられていると検知された場合は、前記制御工程が前記外部信号源に指示して出力されたセンターチャネルの音響信号を、前記スピーカに供給し、前記検知工程により少なくとも２つの前記スピーカが前記画像表示装置の左右両側に取り付けられていると検知された場合は、前記制御工程が前記外部信号源に指示して出力された右チャネルの音響信号及び左チャネルの音響信号を、夫々対応する前記スピーカに供給することを特徴とする請求項４に記載の画像表示装置の制御方法。
【手続補正３】
【補正対象書類名】明細書
【補正対象項目名】０００１
【補正方法】変更
【補正の内容】
【０００１】
【発明の属する技術分野】
本発明は、スピーカと共に使用される画像表示装置及びその制御方法に関するものである。
【手続補正４】
【補正対象書類名】明細書
【補正対象項目名】０００７
【補正方法】変更
【補正の内容】
【０００７】
本発明は上記従来例に鑑みてなされたもので、スピーカを画像表示装置本体の左右若しくは上（下）のいずれかに直接取り付けられるようにし、かつ、それらスピーカの配置された位置に応じて、各スピーカに供給される音響信号を制御できるようにした画像表示装置及びその制御方法を提供することを目的とする。
【手続補正５】
【補正対象書類名】明細書
【補正対象項目名】０００８
【補正方法】変更
【補正の内容】
【０００８】
【課題を解決するための手段】
上記目的を達成するために本発明の画像表示装置は以下のような構成を備える。即ち、  スピーカを取り付け可能な画像表示装置であって、
少なくとも１つの前記スピーカが前記画像表示装置の上辺若しくは下辺に取り付けられているのか、又は、少なくとも２つの前記スピーカが前記画像表示装置の左右両側に取り付けられているのかを検知する検知手段と、
前記検知手段により少なくとも１つの前記スピーカが前記画像表示装置の上辺若しくは下辺に取り付けられていると検知された場合は、前記スピーカにセンターチャネルの音響信号を供給し、少なくとも２つの前記スピーカが前記画像表示装置の左右両側に取り付けられていると検知された場合は、右チャネルの音響信号及び左チャネルの音響信号を夫々対応する前記スピーカに供給する供給手段と、
を有することを特徴とする。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】変更
【補正の内容】
【００１０】
上記目的を達成するために本発明の画像表示装置の制御方法は以下のような工程を備える。即ち、
スピーカを取り付け可能な画像表示装置の制御方法であって、
少なくとも１つの前記スピーカが前記画像表示装置の上辺若しくは下辺に取り付けられているのか、又は、少なくとも２つの前記スピーカが前記画像表示装置の左右両側に取り付けられているのかを検知する検知工程と、
前記検知工程により少なくとも１つの前記スピーカが前記画像表示装置の上辺若しくは下辺に取り付けられていると検知された場合は、前記スピーカにセンターチャネルの音響信号を供給し、少なくとも２つの前記スピーカが前記画像表示装置の左右両側に取り付けられていると検知された場合は、右チャネルの音響信号及び左チャネルの音響信号を夫々対応する前記スピーカに供給する供給工程と、
を有することを特徴とする。
【手続補正８】
【補正対象書類名】明細書
【補正対象項目名】００１１
【補正方法】削除
【補正の内容】